(57)【要約】【課題】固体光源、レンズ及びスイッチを筐体に取り付けるための取付作業の簡素化を図る。【解決手段】発光装置（誘導灯器具１）は、固体光源と、固体光源の配光を制御するレンズ９と、操作入力を受け付けるスイッチとを備える。発光装置は、少なくともスイッチが操作入力を受け付けたときに固体光源を駆動する駆動装置４と、固体光源、レンズ９、スイッチが取り付けられる取付部材６と、駆動装置４及び取付部材６を収容する筐体１０とを備える。取付部材６は、筐体１０に固定される固定片６０と、固体光源とレンズ９が取り付けられる第１取付片６１と、スイッチが取り付けられる第２取付片６２とを有している。固定片６０と第１取付片６１と第２取付片６２の間に、駆動装置４と固体光源及びスイッチとを電気的に接続するための配線用のスペース６５が設けられている。【選択図】        図４
2019106269.tif 000002
【特許請求の範囲】
【請求項１】
固体光源と、
前記固体光源の配光を制御するレンズと、
操作入力を受け付けるスイッチと、
少なくとも前記スイッチが前記操作入力を受け付けたときに前記固体光源を駆動する駆動装置と、
前記固体光源、前記レンズ、前記スイッチが取り付けられる取付部材と、
前記駆動装置及び前記取付部材を収容する筐体と
を備え、
前記取付部材は、
前記筐体に固定される固定片と、
前記固体光源と前記レンズが取り付けられる第１取付片と、
前記スイッチが取り付けられる第２取付片と
を有し、
前記固定片と前記第１取付片と前記第２取付片の間に、前記駆動装置と前記固体光源及び前記スイッチとを電気的に接続する配線が収められる配線用のスペースが設けられている
ことを特徴とする発光装置。
【請求項２】
箱形に形成されて前記スイッチを収容するケースと、
前記ケースの前面において前記スイッチを操作するための操作部材と
を備え、
前記ケースの前後方向の高さは、前記固体光源と前記レンズを併せた高さよりも高く、
前記第２取付片は、前記ケースの前後方向に沿って前記第１取付片の後方に配置されている
ことを特徴とする請求項１記載の発光装置。
【請求項３】
前記固定片は多角形の板状に形成され、
前記第１取付片は前記固定片の複数の辺のうちの第１の辺から突出するように形成され、
前記第２取付片は前記固定片の前記複数の辺のうちの第２の辺から突出するように形成されている
ことを特徴とする請求項１又は２記載の発光装置。
【請求項４】
前記固体光源と前記駆動装置を電気的に接続するコネクタと、
前記コネクタの変位を規制する規制部と
を備える
ことを特徴とする請求項１〜３のいずれか１項に記載の発光装置。
【請求項５】
前記固体光源を保持するホルダと、
前記固体光源に熱的に結合される放熱板と
を備え、
前記コネクタは、前記ホルダから突出するように前記ホルダと一体に形成され、
前記放熱板は、前記コネクタに沿って突出し、前記コネクタの変位を規制する突起を有する
ことを特徴とする請求項４記載の発光装置。
【請求項６】
前記取付部材は、前記コネクタの周囲を囲って前記コネクタを保護する保護片を有する
ことを特徴とする請求項４又は５記載の発光装置。
【請求項７】
前記保護片は前記保護片を貫通する確認窓を有し、
前記確認窓は、前記保護片において前記コネクタの先端部分と対向する位置に設けられている
ことを特徴とする請求項６記載の発光装置。
【請求項８】
前記筐体は、
前記レンズの一部が挿通される挿通穴を有した前壁と、
前記前壁の厚み方向において前記前壁と対向する後壁と、
前記前壁と前記後壁の周縁を囲む側壁と
を有し、
前記固定片は、前記側壁に固定される
ことを特徴とする請求項１〜７のいずれか１項に記載の発光装置。
【請求項９】
前記取付部材は、前記側壁に設けられた被引掛部に引っ掛けられる引掛部を有する
ことを特徴とする請求項８記載の発光装置。
【請求項１０】
請求項１〜９のいずれかの発光装置と、
避難口又は前記避難口への通路を表示する表示ユニットと
を備え、
前記表示ユニットは前記発光装置の前記筐体に収容される
ことを特徴とする非常用照明器具。
【発明の詳細な説明】
【技術分野】
【０００１】
本発明は、発光装置及び非常用照明器具に関し、より詳細には、固体光源とレンズとスイッチを有する発光装置、並びに当該発光装置を備えた非常用照明器具に関する。
【背景技術】
【０００２】
従来の発光装置及び非常用照明器具の一例として特許文献１記載の点滅装置及び誘導灯装置を例示する。特許文献１記載の点滅装置（発光装置）は、本体と、点滅部と、点滅回路と、スピーカとを有する。本体は箱形に形成されている。本体の前面に点滅部が配置されている。点滅部は光源としてＬＥＤを有する。スピーカは本体内に収容されている。スピーカは誘導音を発するように構成されている。点滅回路は点滅部を周期的に発光（点滅）させる。点滅装置は、本体の後端部分を壁面に埋め込むようにして壁に設置される。
【先行技術文献】
【特許文献】
【０００３】
【特許文献１】特開２０１２−１５５６１１号公報
【発明の概要】
【発明が解決しようとする課題】
【０００４】
ところで、特許文献１記載の点滅装置（発光装置）では、点滅部のＬＥＤ（固体光源）が本体の外に配置されているが、ＬＥＤが本体内に配置される場合にはＬＥＤの配光を制御するためのレンズが必要となる。また、点滅部の動作試験を行わせるためのスイッチが本体に設けられる場合がある。しかしながら、特許文献１記載の従来例では、ＬＥＤ（固体光源）、レンズ及びスイッチを本体内に収容するための構造が開示されておらず、固定光源、レンズ及びスイッチを筐体に取り付けるための取付作業についても考慮されていない。
【０００５】
本発明の目的は、固体光源、レンズ及びスイッチを筐体に取り付けるための取付作業の簡素化を図ることができる発光装置及び非常用照明器具を提供することである。
【課題を解決するための手段】
【０００６】
本発明の一態様に係る発光装置は、固体光源と、前記固体光源の配光を制御するレンズと、操作入力を受け付けるスイッチと、少なくとも前記スイッチが前記操作入力を受け付けたときに前記固体光源を駆動する駆動装置とを備える。前記発光装置は、前記固体光源、前記レンズ、前記スイッチが取り付けられる取付部材と、前記駆動装置及び前記取付部材を収容する筐体とを備える。前記取付部材は、前記筐体に固定される固定片と、前記固体光源と前記レンズが取り付けられる第１取付片と、前記スイッチが取り付けられる第２取付片とを有している。前記固定片と前記第１取付片と前記第２取付片の間に、前記駆動装置と前記固体光源及び前記スイッチとを電気的に接続する配線が収められる配線用のスペースが設けられている。
【０００７】
本発明の一態様に係る非常用照明器具は、前記発光装置と、避難口又は前記避難口への通路を表示する表示ユニットとを備える。前記表示ユニットは前記発光装置の前記筐体に収容される。
【発明の効果】
【０００８】
本発明の発光装置及び非常用照明器具は、固体光源、レンズ及びスイッチを筐体に取り付けるための取付作業の簡素化を図ることができるという効果がある。
【図面の簡単な説明】
【０００９】
【図１】図１は、本発明の一態様に係る発光装置の実施形態１である誘導灯器具の斜視図である。
【図２】図２は、同上の実施形態１の誘導灯器具の分解斜視図である。
【図３】図３は、同上の実施形態１の誘導灯器具における要部の分解斜視図である。
【図４】図４は、同上の実施形態１の誘導灯器具のプレートを外した状態の要部の斜視図である。
【図５】図５は、本発明の一態様に係る発光装置の実施形態２である誘導灯器具の斜視図である。
【図６】図６は、同上の実施形態２の誘導灯器具のプレートを外した状態の要部の斜視図である。
【図７】図７は、同上の実施形態２の誘導灯器具における要部の正面図である。
【図８】図８は、同上の実施形態２の誘導灯器具における要部の下面図である。
【図９】図９は、同上の実施形態２の誘導灯器具における要部の背面図である。
【図１０】図１０は、同上の実施形態２の誘導灯器具の一部省略した下面図である。
【図１１】図１１は、同上の誘導灯器具の変形例１の斜視図である。
【図１２】図１２は、同上の誘導灯器具の変形例２の斜視図である。
【図１３】図１３は、同上の誘導灯器具の変形例３の斜視図である。
【発明を実施するための形態】
【００１０】
以下、本発明に係る発光装置及び非常用照明器具の実施形態について、図面を参照して詳細に説明する。ただし、下記の実施形態において説明する各図は模式的な図であり、各構成要素の大きさや厚さそれぞれの比が必ずしも実際の寸法比を反映しているとは限らない。なお、以下の実施形態で説明する構成は本発明の一例にすぎない。本発明は、以下の実施形態に限定されず、本発明の効果を奏することができれば、設計等に応じて種々の変更が可能である。
【００１１】
（実施形態１）
発光装置の実施形態１及び非常用照明器具の実施形態１は、いずれも誘導灯器具１として実現されている。実施形態１の誘導灯器具１は、建物の避難口を表示するための避難口誘導灯器具である。誘導灯器具１は、誘導灯信号装置から信号を受けた場合に誘導効果を高めるために光源（実施形態１の発光装置を構成する固体光源）を点滅させる点滅形避難口誘導灯器具として構成されている。なお、以下の説明においては、特に断りのない限り、図１に矢印で示す向きにおいて、誘導灯器具１の上下、左右及び前後の各方向を規定する。
【００１２】
誘導灯器具１は、図１及び図２に示すように、表示ユニット２、光源装置３、駆動装置４、筐体１０などを有している。
【００１３】
筐体１０は、それぞれ長方形の前壁１１、後壁１２及び４つの側壁１３を有する直方体状に形成されている。ただし、本実施形態における筐体１０は、本体１００とプレート１０１で構成されている。本体１００は、前面が開放された箱形に形成されており、筐体１０の後壁１２と４つの側壁１３を構成している。プレート１０１は、四角形の平板状に形成された主部１０１０と、主部１０１０の４つの辺から後方へ立ち上がる４つの側部１０１１とを有している。プレート１０１の主部１０１０は筐体１０の前壁１１を構成している。プレート１０１の４つの側部１０１１は筐体１０の４つの側壁１３の前端部分を構成している。プレート１０１は、一対の取付ばね１０２によって着脱可能に本体１００に取り付けられる。本体１００の前面にプレート１０１が取り付けられることによって筐体１０が構成される。なお、筐体１０（本体１００及びプレート１０１）は、鋼板などの不燃物で形成されている。
【００１４】
筐体１０の内底面（後壁１２の前面）には取付台１５がねじ止めされている。取付台１５は、合成樹脂材料によって前面と下面が開放された箱形に形成されている。表示ユニット２及び駆動装置４は取付台１５に取り付けられた状態で筐体１０内に収容されている。
【００１５】
表示ユニット２は、表示板２０と、光源ブロック２１と、点灯ブロック２２と、第１蓄電池ブロック２３とを有している。
【００１６】
表示板２０は、アクリル樹脂又はポリカーボネート樹脂などの透光性を有する合成樹脂材料によって四角形の板状に形成されている。ただし、表示板２０は、前後方向の厚みを上端から下端に向かって徐々に小さくするように形成されている。表示板２０の前面には避難口を示すピクトグラムが描かれている。
【００１７】
光源ブロック２１は、１つ以上のＬＥＤと、ＬＥＤから放射される光を導光する導光部材と、ＬＥＤ及び導光部材を収容するケース２１０とを備える。ケース２１０の下面には導光部材から出射する光をケース２１０の外に放射するための開口が設けられている。光源ブロック２１は、図２に示すように、取付台１５の上部に取り付けられる。また、表示板２０は、上側面を光源ブロック２１のケース２１０の開口に対向させるようにして取付台１５に取り付けられる。
【００１８】
第１蓄電池ブロック２３は、電気絶縁性を有する合成樹脂製の電池ケースに複数の電池セルを収容して構成されている。電池セルは、ニッケル水素電池のような蓄電池である。第１蓄電池ブロック２３は、取付台１５の右端に収容されている（図２参照）。
【００１９】
点灯ブロック２２は、常用点灯回路と、第１充電回路と、非常用点灯回路と、第１制御回路とを有している。常用点灯回路は、外部電源（例えば、商用の電力系統）から供給される電力でＬＥＤを点灯させる。第１充電回路は、外部電源から供給される電力で第１蓄電池ブロック２３の電池セルを充電する。非常用点灯回路は、外部電源の電力供給が停止した場合、第１蓄電池ブロック２３から放電される電力でＬＥＤを点灯させる。第１制御回路は、外部電源の給電状況を監視し、外部電源から電力供給されているときは常用点灯回路と第１充電回路を動作させるとともに非常用点灯回路を停止させる。また、第１制御回路は、外部電源の電力供給が停止（停電）したときは常用点灯回路と第１充電回路を停止させるとともに非常用点灯回路を動作させる。
【００２０】
さらに、第１制御回路は、第１充電回路を動作させているときに第１表示素子を発光させて充電中であることを表示する。第１制御回路は、第１点検スイッチがオンされている間、常用点灯回路及び第１充電回路を強制的に停止させるとともに非常用点灯回路を強制的に動作させて光源ブロック２１のＬＥＤを点灯させる。第１制御回路は、自己点検スイッチが所定時間（例えば、２秒）以上オンされると自己点検動作を行う。また、第１制御回路は、受光素子において赤外線を通信媒体とする制御信号を受信した場合も自己点検動作を行う。自己点検動作は、規定時間（２０分又は６０分）が経過するまで常用点灯回路及び第１充電回路を強制的に停止させるとともに非常用点灯回路を強制的に動作させて光源ブロック２１のＬＥＤを点灯させる動作である。そして、第１制御回路は、規定時間が経過したら非常用点灯回路を停止させて非常用点灯回路の入力電圧、すなわち、第１蓄電池ブロック２３の電池電圧を測定し、電池電圧の測定値に基づいて第１蓄電池ブロック２３の良否を判定する。第１制御回路は、第１蓄電池ブロック２３を良好と判定した場合に第１表示素子を連続して発光させ、第１蓄電池ブロック２３を不良と判定した場合に第１表示素子を間欠的に発光（点滅）させる。
【００２１】
表示ユニット２は、筐体１０の前壁１１（プレート１０１の主部１０１０）に設けられた四角形状の窓１１０から表示板２０の前面を露出させるようにして筐体１０内に収容される。表示ユニット２は、光源ブロック２１から表示板２０の上面に光を入射させ、表示板２０全体を発光させることにより、表示板２０の前面の輝度を高めてピクトグラムの視認性を高めている。
【００２２】
光源装置３は、図３に示すように、固体光源である発光ダイオード（Light Emitting Diode）３０と、ＬＥＤ３０を支持するホルダ３１と、一対の端子板３２と、放熱板３３と、レンズ９とを有している。
【００２３】
ＬＥＤ３０は、四角形状の実装基板３０１の中央に少なくとも１個のＬＥＤチップが実装されて構成されている。ＬＥＤチップは、例えば、青色光を放射する青色発光ダイオードである。また、ＬＥＤチップを含む実装基板３０１の実装面（下面）は、ＬＥＤチップから放射される青色光を波長変換する蛍光物質が混入された封止樹脂で封止されている。なお、封止樹脂は上下方向から見て円形に形成されており、封止樹脂の表面がＬＥＤ３０の発光面３００となる。
【００２４】
さらに、実装基板３０１は、その対角の位置にある一対の角部にそれぞれ電極を有している。一方の電極は、ＬＥＤチップのカソードと電気的に接続され、他方の電極は、ＬＥＤチップのアノードと電気的に接続されている。これらの電極は、一対の端子板３２のうちの対応する端子板３２と電気的に接続されている。
【００２５】
ホルダ３１は、ポリカーボネート樹脂などの合成樹脂材料によって円板状に形成されている。ホルダ３１の中央部にＬＥＤ３０が保持されている。ホルダ３１は一対の突起３１１を有している。一対の突起３１１はホルダ３１の中央部を挟んで対向する位置に配置されている。各突起３１１には貫通穴３１２が１つずつ貫通している。また、ホルダ３１は、コネクタ（レセプタクルコネクタ）３１０を有している。コネクタ３１０は、上向きに伸びた角筒状に形成され、一対の端子板３２を内部に収容して保持している。
【００２６】
レンズ９は、レンズ本体９０と、レンズ本体９０の周縁から第１方向（レンズ本体９０の厚み方向に直交する方向）へ突出するフランジ９１と、フランジ９１から第１方向へ突出する一対の固定片９２とを備える。レンズ本体９０とフランジ９１と一対の固定片９２とは、例えば、ガラス材料のプレス成形によって一体に形成される。一対の固定片９２のそれぞれにねじ挿通穴９２０が貫通している。
【００２７】
放熱板３３は、平板状の固定部３３０と、固定部３３０の右端における後端から上向きに突出するねじ止め部３３１と、固定部３３０の左端における後端から上向きに突出する引掛部３３２とを有している。放熱板３３は、更に、固定部３３０の右端における前後方向の中央から上向きに突出する突片３３３を有している。固定部３３０とねじ止め部３３１と引掛部３３２と突片３３３とは、例えば、アルミ板によって一体に形成されている。
【００２８】
固定部３３０の右端の前端及び左端の後端のそれぞれにねじ穴３３４が１つずつ設けられている。固定部３３０にはホルダ３１とレンズ９が固定される。レンズ９の各固定片９２のねじ挿通穴９２０及びホルダ３１の各突起３１１の貫通穴３１２に１本ずつ固定ねじ３４が挿通される。そして、各固定ねじ３４が放熱板３３の固定部３３０に設けられている２つのねじ穴３３４のうちの対応するねじ穴３３４にねじ込まれる。その結果、レンズ９とホルダ３１が２本の固定ねじ３４によって放熱板３３の固定部３３０にねじ止めされる（固定される）。
【００２９】
ねじ止め部３３１は、鈎形に形成されている。ねじ止め部３３１の先端には円形の穴３３５が貫通している。引掛部３３２も鈎形に形成されている。突片３３３は、長方形状に形成されている。突片３３３は、上下方向（コネクタ３１０の長手方向）に沿って、固定部３３０に固定されたホルダ３１のコネクタ３１０に沿うように配置されている。
【００３０】
光源装置３は、取付部材６に取り付けられる。光源装置３が取り付けられた取付部材６が、筐体１０に取り付けられる。つまり、光源装置３は、筐体１０に直接取り付けられるのではなく、取付部材６を介して筐体１０に間接的に取り付けられる。
【００３１】
取付部材６は、固定片６０と、第１取付片６１と、第２取付片６２と、保護片６３とを有している。固定片６０、第１取付片６１、第２取付片６２及び保護片６３は、金属板によって一体に形成されている。固定片６０は長尺の平板状（四角形状）に形成されている。固定片６０は、長手方向（左右方向）の一端（左端）と中央とにそれぞれねじ挿通穴６００が設けられている。
【００３２】
第１取付片６１は、長尺の平板状に形成されている。ただし、第１取付片６１の長手方向の長さは、固定片６０の長手方向の長さの約３分の２である。第１取付片６１は、固定片６０の短手方向（上下方向）の一端（下端）から前方へ突出している。第１取付片６１は、第１ねじ穴（不図示）、第２ねじ穴（不図示）、第１引掛穴６１３、第２引掛穴（不図示）を有している。第１ねじ穴は、第１取付片６１の長手方向（左右方向）のほぼ中央に設けられている。第２ねじ穴は、第１取付片６１の長手方向の一端（右端）に設けられている。第１引掛穴６１３は角穴からなり、第１取付片６１の長手方向の他端（左端）に設けられている。第２引掛穴は台形状の穴からなり、第１取付片６１の長手方向のほぼ中央に設けられている。
【００３３】
第２取付片６２は、通線穴６２２を有する矩形の枠状に形成されている。ただし、第２取付片６２の長手方向の長さは、固定片６０の長手方向の長さの約３分の１である。第２取付片６２は、固定片６０の短手方向の他端（上端）において、第１取付片６１と向き合わない部位から前方へ突出している。第２取付片６２は、第３ねじ穴６２０と第３引掛穴６２１を有している。第３ねじ穴６２０は、第２取付片６２の左端の前端に設けられている。第３引掛穴６２１は、角穴と半円形の穴とを繋いだ形状に形成されている。第３引掛穴６２１は、第２取付片６２の右端の前端に設けられている。
【００３４】
保護片６３は、Ｌ字状に形成されている。保護片６３は、第１取付片６１の長手方向の中央における前端から上向きに突出している。保護片６３の先端部分には角穴からなる確認窓６３０が設けられている。
【００３５】
光源装置３は、放熱板３３の引掛部３３２の先端を第１取付片６１の第１引掛穴６１３の縁に引っ掛けた状態で、ねじ止め部３３１の穴３３５に挿通されるねじを第１取付片６１の第１ねじ穴にねじ込むことによって第１取付片６１に固定される。つまり、光源装置３は、ねじ止め部３３１及び引掛部３３２の上下方向の高さ分だけ固定部３３０を第１取付片６１から離した状態で取付部材６に取り付けられる。
【００３６】
ここで、第１取付片６１には光源装置３だけでなく第１スイッチブロック１６が取り付けられる。第１スイッチブロック１６は、上述した第１点検スイッチ、自己点検スイッチ、第１表示素子、受光素子が実装されたプリント配線板と、プリント配線板を収容する第１ケース１６０と、第１点検スイッチを操作するための第１押釦１６１とを備える。第１ケース１６０は、合成樹脂材料によって直方体形状の箱形に形成されている。第１ケース１６０の一面（下面）には、第１押釦１６１が収容される第１操作穴１６２と、第１操作穴１６２よりも径の小さい第２操作穴１６３と、第１表示穴１６４と、第１操作穴１６２とほぼ同径の受光穴１６５とが設けられている。第１押釦１６１は円柱状に形成されており、上下方向に移動可能な状態で第１操作穴１６２内に収容されている。第１ケース１６０内において第１操作穴１６２と上下方向に対向する位置に、押釦スイッチからなる第１点検スイッチが配置されている。したがって、第１ケース１６０の外から押された第１押釦１６１が第１ケース１６０内に移動し、第１押釦１６１の上端で第１点検スイッチが押操作されてオンする。第１ケース１６０内において第２操作穴１６３と上下方向に対向する位置に、押釦スイッチからなる自己点検スイッチが配置されている。すなわち、自己点検スイッチは、第２操作穴１６３を通して第１ケース１６０の外から挿入される細い工具（例えば、ドライバなど）の先端で押操作されてオンする。第１ケース１６０内において第１表示穴１６４と上下方向に対向する位置に第１表示素子が配置されている。すなわち、第１表示素子の発する光は第１表示穴１６４を通して第１ケース１６０の外に放射される。第１ケース１６０内において受光穴１６５と上下方向に対向する位置に受光素子が配置されている。すなわち、自己点検用のリモートコントローラから送信される制御信号が受光穴１６５を通して受光素子で受光（受信）される。なお、第１点検スイッチ、自己点検スイッチ、第１表示素子及び受光素子は、それぞれ複数の電線１６６によって点灯ブロック２２と電気的に接続されている（図４参照）。
【００３７】
第１ケース１６０は、固定片１６００と引掛片を有している。固定片１６００は第１ケース１６０の右側面の上端から第１ケース１６０の上面と平行に突出している。固定片１６００には丸穴からなる挿通穴１６０１が設けられている。引掛片は鈎形に形成され、第１ケース１６０の左側面の上端から上向きに突出している。第１スイッチブロック１６は、第１ケース１６０の引掛片を第１取付片６１における第２引掛穴の縁に引っ掛け、かつ、固定片１６００の挿通穴１６０１に挿通したねじを第２ねじ穴にねじ込むことによって第１取付片６１に取り付けられる。
【００３８】
第２取付片６２には第２スイッチブロック１７が取り付けられる。第２スイッチブロック１７は、第２点検スイッチ１７４及び第２表示素子が実装されたプリント配線板１７５と、プリント配線板１７５を収容する第２ケース１７０と、第２点検スイッチ１７４を操作するための第２押釦１７１とを備える。第２ケース１７０は、ケースボディ１７０Ａとケースカバー１７０Ｂとを有する。ケースボディ１７０Ａは、合成樹脂材料により、下面が開放された直方体形状の箱形に形成されている。ケースカバー１７０Ｂは、合成樹脂材料により、四角形の平板状の形成されている。ケースカバー１７０Ｂは、プリント配線板１７５を立てた状態（プリント配線板１７５の厚み方向がケースカバー１７０Ｂの厚み方向と直交した状態）でプリント配線板１７５の端部を支持するように構成されている。そして、ケースカバー１７０Ｂにケースボディ１７０Ａが被せられ、ケースボディ１７０Ａの下面がケースカバー１７０Ｂで閉塞されることにより、第２ケース１７０が組み立てられる。なお、第２ケース１７０がプリント配線板１７５を立てた状態で収容しているため、第２ケース１７０の高さはプリント配線板１７５の幅よりも大きく、特に、ＬＥＤ３０とレンズ９を併せた高さよりも高くなっている（図４参照）。
【００３９】
第２ケース１７０の一面（ケースボディ１７０Ａの底面）には、第２押釦１７１が収容される第３操作穴１７２と、第３操作穴１７２よりも径の小さい第２表示穴１７３とが設けられている。第２押釦１７１は円柱状に形成されており、上下方向に移動可能な状態で第３操作穴１７２内に収容されている。第２ケース１７０内において第３操作穴１７２と上下方向に対向する位置に、押釦スイッチからなる第２点検スイッチ１７４が配置されている。したがって、第２ケース１７０の外から押された第２押釦１７１が第２ケース１７０内に移動し、第２押釦１７１の上端で第２点検スイッチ１７４が押操作されてオンする。第２ケース１７０内において第２表示穴１７３と上下方向に対向する位置に第２表示素子が配置されている。すなわち、第２表示素子の発する光は第２表示穴１７３を通して第２ケース１７０の外に放射される。
【００４０】
第２ケース１７０は、固定片１７００と引掛片１７０２を有している。固定片１７００は第２ケース１７０の前側面の上端から第２ケース１７０の上面と平行に突出している。固定片１７００には丸穴からなる挿通穴１７０１が設けられている。引掛片１７０２は鈎形に形成され、第２ケース１７０の右側面の上端から上向きに突出している。第２スイッチブロック１７は、第２ケース１７０の引掛片１７０２を第２取付片６２における第３引掛穴６２１の縁に引っ掛け、かつ、固定片１７００の挿通穴１７０１に挿通したねじを第３ねじ穴６２０にねじ込むことによって第２取付片６２に取り付けられる。
【００４１】
取付部材６の固定片６０が筐体１０の内底面（後壁１２の前面）における下端部分に固定される。光源装置３のレンズ９は、筐体１０の下側の側壁１３における長手方向（左右方向）の中央に設けられた挿通穴１４を通して筐体１０の外に突出する。また、筐体１０の下側の側壁１３には、第１ケース１６０の第１操作穴１６２、第２操作穴１６３、第１表示穴１６４及び受光穴１６５、第２ケース１７０の第３操作穴１７２及び第２表示穴１７３と各々一対一に対応した複数の穴１３１〜１３６が設けられている。穴１３１は、第１操作穴１６２と対向している。したがって、第１押釦１６１の先端部分が穴１３１を通して筐体１０の外に突出する。穴１３２は第２操作穴１６３と対向している。穴１３３は第１表示穴１６４と対向している。穴１３４は受光穴１６５と対向している。穴１３５は第３操作穴１７２と対向している。したがって、第２押釦１７１の先端部分が穴１３５を通して筐体１０の外に突出する。穴１３６は第２表示穴１７３と対向している。
【００４２】
第２蓄電池ブロック５は、複数本の乾電池型の電池セルが熱収縮チューブに包まれて構成されている。各電池セルは、ニッケル水素電池のような蓄電池である。第２蓄電池ブロック５は、取付台１５の左隣に収容されている（図２参照）。
【００４３】
駆動装置４は、光源装置３のＬＥＤ３０を駆動する駆動回路と、駆動回路に電力を供給するための第２蓄電池ブロック５を充電する第２充電回路と、駆動回路及び第２充電回路を制御する第２制御回路とを有する。第２制御回路は、信号線を介して誘導灯信号装置から信号を受信したとき、駆動回路を制御し、通常時は外部電源から供給される電力でＬＥＤ３０を駆動してＬＥＤ３０を発光させる。また、第２制御回路は、外部電源の停電時は第２蓄電池ブロック５から供給される電力でＬＥＤ３０を駆動してＬＥＤ３０を発光させる。ただし、第２制御回路は、誘導効果を高めるためにＬＥＤ３０を間欠駆動するように駆動回路を制御する。例えば、第２制御回路は、約５００ｍｓ毎に約５０ｍｓの期間だけＬＥＤ３０を駆動して発光させるように駆動回路を制御することが好ましい。第２充電回路は、外部電源から供給される電力で第２蓄電池ブロック５を充電する。さらに、第２制御回路は、第２充電回路を動作させているときに第２表示素子を発光させて充電中であることを表示する。第２制御回路は、第２点検スイッチ１７４がオンされている間、第２充電回路を強制的に停止させるとともに駆動回路を制御して第２蓄電池ブロック５から供給される電力で光源装置３のＬＥＤ３０を発光させる。
【００４４】
駆動装置４は、更に、第１端子部４１と、第２端子部４２と、第３端子部４３とを有している（図４参照）。第１端子部４１は、入出力兼用の電線によって第２蓄電池ブロック５と電気的に接続される。第２端子部４２は、一対の出力用の電線４４によってＬＥＤ３０と電気的に接続される。つまり、駆動回路は、第２端子部４２から一対の電線４４を介してＬＥＤ３０に直流電力を供給する。第３端子部４３は、３本の電線４５によって第２スイッチブロック１７と電気的に接続される。３本の電線４５のうちの１本の電線４５はグランド線であり、第２点検スイッチ１７４及び第２表示素子に電気的に接続される。また、グランド線を除く残り２本の電線４５のうちの１本の電線４５は第２点検スイッチ１７４と電気的に接続され、もう１本の電線４５は第２表示素子と電気的に接続される。
【００４５】
一対の電線４４の先端には、光源装置３のホルダ３１が有するコネクタ３１０と抜き差し可能に接続されるコネクタ（プラグコネクタ）４６が設けられている。コネクタ４６は、コネクタ３１０の長手方向（上下方向）に沿ってコネクタ３１０に抜き差しされるように構成されている。ここで、コネクタ４６が抜き差しされる際にコネクタ３１０が左右方向に傾けられる可能性がある。そして、コネクタ３１０の傾きが大きくなると、コネクタ３１０が破損する可能性がある。しかしながら、放熱板３３に設けられている突片３３３により、コネクタ３１０の左右方向の傾き（変位）が規制されるので、コネクタ３１０が破損する可能性を低くすることができる。
【００４６】
また、コネクタ３１０は本体１００の前面の開口に向き合っているので、組立作業時に前方からコネクタ３１０の先端部分に大きな力が加わってコネクタ３１０が破損する可能性がある。しかしながら、取付部材６に設けられた保護片６３がコネクタ３１０の先端部分を前方から覆うようにして保護しているので、コネクタ３１０の先端部分に大きな力が加わりにくくなってコネクタ３１０の破損の可能性を低下させることができる。なお、保護片６３に設けられた確認窓６３０を通して本体１００の前方からコネクタ３１０の先端部分を視認できるので、コネクタ３１０にコネクタ４６を差し込む際に保護片６３が邪魔にならずに容易に差し込むことができる。
【００４７】
ここで、固定片６０と第１取付片６１と第２取付片６２の間に、駆動装置４とＬＥＤ３０及び第２点検スイッチ１７４とを電気的に接続する配線（電線４４、４５）が収められる配線用のスペース６５が設けられている（図４参照）。すなわち、固定片６０が上下方向から見て四角形の板状に形成されており、固定片６０の４つの辺のうちの第１の辺（前方の辺）から突出するように第１取付片６１が形成されている。第２取付片６２は固定片６０の４つの辺のうちの第２の辺（後方の辺）から突出するように形成されている。ゆえに、第１取付片６１と第２取付片６２の間に、固定片６０の前後方向の幅に等しい長さの隙間（スペース６５）が形成される。
【００４８】
このように、取付部材６に配線用のスペース６５が設けられているため、配線用のスペース６５に電線４４、４５を収めた状態で取付部材６の固定片６０を筐体１０に固定することができる。そのため、誘導灯器具１は、取付部材６と筐体１０の間にスペース６５が設けられていない場合に比べて、ＬＥＤ３０、レンズ９及び第２点検スイッチ１７４を筐体１０に取り付けるための取付作業の簡素化を図ることができる。
【００４９】
ところで、第２スイッチブロック１７は、プリント配線板１７５を立てた状態で第２ケース１７０に収容しているために第２ケース１７０の高さが比較的に高くなっている。しかしながら、第２スイッチブロック１７が取り付けられる第２取付片６２が、第１取付片６１の後方（図４における上方）に配置されることにより、レンズ９のフランジ９１と、第２ケース１７０の前面（図４における下面）とがほぼ平行になる。その結果、取付部材６が筐体１０に取り付けられたときにレンズ９のフランジ９１の前面（図４における下面）及び第２ケース１７０の前面（図４における下面）と筐体１０の下側の側壁１３との距離を均一に保つことができる。
【００５０】
誘導灯器具１は、筐体１０の後壁１２を壁面に当てるようにして壁に直に取り付けられる。ただし、誘導灯器具１は、筐体１０の上側の側壁１３を天井面に当てるようにして天井に直に取り付けられる場合もある。
【００５１】
なお、実施形態１の発光装置は、誘導灯器具１の構成要素のうち、少なくとも光源装置３のＬＥＤ３０及びレンズ９と、第２スイッチブロック１７の第２点検スイッチ１７４と、取付部材６と、筐体１０とを備えていればよい。
【００５２】
（実施形態２）
実施形態２の誘導灯器具１Ａは、筐体１０の一部（本体１００）が壁に設けられた埋込穴に埋め込まれるようにして壁に設置される、埋込型の誘導灯器具である。なお、実施形態２の誘導灯器具１Ａにおいて、実施形態１の誘導灯器具１と共通の構成要素については、形状等が若干異なっていても機能が共通している場合は同一の符号を付して適宜説明を省略する。
【００５３】
誘導灯器具１Ａでは、図５に示すように、筐体１０の前壁１１（プレート１０１）における窓１１０の下に、光源装置３のレンズ９が挿通される挿通穴１４と、第１押釦１６１及び第２押釦１７１が挿通される穴を含む複数の穴１１３〜１１８が設けられている。そのため、実施形態２における取付部材６Ａは、実施形態１における取付部材６と構造が若干異なっている。
【００５４】
取付部材６Ａは、図６〜図９に示すように、一対の固定片６０と、第１取付片６１と、第２取付片６２とを有している。取付部材６Ａは、更に、複数（図示例では４つ）の補強片６６Ａ〜６６Ｄと、一対の引掛部６４とを有している。
【００５５】
第１取付片６１には、第１ねじ穴６１１、第２ねじ穴６１２、第１引掛穴６１３、第２引掛穴６１４が設けられている（図９参照）。第１取付片６１には、更に、光源装置３のコネクタ３１０が挿通される挿通穴６１５と、第１スイッチブロック１６と点灯ブロック２２を電気的に接続する電線１６６が挿通される電線挿通穴６１６とが設けられている。
【００５６】
第２取付片６２には、第３ねじ穴６２０と、第３引掛穴６２１と、通線穴６２２とが設けられている（図９参照）。通線穴６２２には３本の電線４５が挿通される。なお、第２取付片６２は、長手方向（左右方向）の一端（左端）において、四角形状の連結片６７によって第１取付片６１の長手方向（左右方向）の一端（右端）と連結されている（図６及び図８参照）。
【００５７】
一対の固定片６０Ａ、６０Ｂは、それぞれ四角形の平板状に形成されている。一方の固定片６０Ａは、第１取付片６１の長手方向に沿った一端（下端）から後方に向かって突出している。他方の固定片６０Ｂは、第２取付片６２の長手方向に沿った一端（下端）から後方に向かって突出している。各固定片６０Ａ、６０Ｂには、雌ねじ６０１が１つずつ設けられている（図８及び図９参照）。
【００５８】
４つの補強片６６Ａ〜６６Ｄのうちの２つの補強片６６Ａ、６６Ｂは第１取付片６１と一体に設けられ、残り２つの補強片６６Ｃ、６６Ｄは第２取付片６２と一体に設けられている（図８及び図９参照）。
【００５９】
補強片６６Ａは、四角形の平板状に形成されて第１取付片６１の長手方向の一端（左端）から後方へ突出している。ただし、補強片６６Ａの後端部分は外側（左側）に折り曲げられている。補強片６６Ｂは、四角形の平板状に形成されて第１取付片６１の上端から後方に突出している。補強片６６Ｃは、四角形の平板状に形成されて第２取付片６２の長手方向の一端（右端）から後方へ突出している。補強片６６Ｄは、四角形の平板状に形成されて第２取付片６２の上端から後方に突出している。なお、各補強片６６Ａ〜６６Ｄの前後方向の長さは、一対の固定片６０Ａ、６０Ｂの前後方向の長さに等しい（図８参照）。
【００６０】
一対の引掛部６４は、それぞれ鈎形に形成されている。一方の引掛部６４は、連結片６７の下端から下向きに突出している。他方の引掛部６４は、第１取付片６１の左端に設けられた補強片６６Ａの下端から下向きに突出している（図７〜図９参照）。なお、各引掛部６４の先端は、固定片６０Ａ、６０Ｂよりも下に位置している（図７参照）。
【００６１】
光源装置３は、放熱板３３の引掛部３３２の先端を第１取付片６１の第１引掛穴６１３の縁に引っ掛けた状態で、ねじ止め部３３１の穴３３５に挿通されるねじを第１取付片６１の第１ねじ穴６１１にねじ込むことによって第１取付片６１に固定される。第１スイッチブロック１６は、第１ケース１６０の引掛片を第１取付片６１における第２引掛穴６１４の縁に引っ掛け、かつ、固定片１６００の挿通穴１６０１に挿通したねじを第２ねじ穴６１２にねじ込むことによって第１取付片６１に取り付けられる。第２スイッチブロック１７は、第２ケース１７０の引掛片１７０２を第２取付片６２の第３引掛穴６２１の縁に引っ掛け、かつ、固定片１７００の挿通穴１７０１に挿通したねじを第３ねじ穴６２０にねじ込むことによって第２取付片６２に取り付けられる。
【００６２】
取付部材６Ａにおいては、一対の固定片６０Ａ、６０Ｂ、第１取付片６１、第２取付片６２、４つの補強片６６Ａ〜６６Ｄの間に配線用のスペース６５が設けられている（図６参照）。以下、取付部材６Ａを筐体１０に取り付ける手順を説明する。
【００６３】
取付部材６Ａが取り付けられる筐体１０（本体１００）は、作業台の上に後壁１２を下にして置かれる。つまり、本体１００は、側壁１３を上下方向に沿って立てた状態で作業台の上に置かれる。
【００６４】
本体１００の下側の壁（側壁１３）には、一対の被引掛部１３０が設けられている。各被引掛部１３０は、幅広の第１穴１３０１と、第１穴１３０１よりも幅の狭い第２穴１３０２とを有している。第１穴１３０１の幅は、引掛部６４の先端部分が挿通可能な幅であればよい。第２穴１３０２の幅は、引掛部６４の先端部分が挿通不能であり、かつ、引掛部６４の先端部分を除く部分の厚み（板材の厚み）よりも大きい。したがって、一対の引掛部６４の各々が一対の被引掛部１３０の第１穴１３０１に一つずつ挿通された後、一対の引掛部６４の各々が第２穴１３０２に移動すれば、側壁１３における被引掛部１３０の縁に各引掛部６４が引っ掛かる。その結果、本体１００の下側の側壁１３に取付部材６Ａが仮止めされる。
【００６５】
最後に、下側の側壁１３に設けられている２つのねじ挿通穴１３７の各々に挿通される２本のねじが、各固定片６０Ａ、６０Ｂの雌ねじ６０１のうちの対応する雌ねじ６０１に１本ずつねじ込まれることにより、各固定片６０Ａ、６０Ｂが側壁１３にねじ止めされる（図１０参照）。その結果、取付部材６Ａの一対の固定片６０Ａ、６０Ｂが本体１００の下側の側壁１３に固定されることによって取付部材６Ａが筐体１０（本体１００）に取り付けられる。
【００６６】
取付部材６Ａでは、第２取付片６２が第１取付片６１の後方に配置されているため、レンズ９のフランジ９１と、第２ケース１７０の前面とがほぼ平行になる。その結果、取付部材６Ａが筐体１０に取り付けられたときにレンズ９のフランジ９１の前面及び第２ケース１７０の前面と筐体１０の前壁１１との距離を均一に保つことができる。
【００６７】
実施形態２の誘導灯器具１Ａにおいても、取付部材６Ａに設けられた配線用のスペース６５に電線４４、４５を収めた状態で取付部材６の各固定片６０Ａ、６０Ｂを筐体１０に固定することができる（図４参照）。そのため、誘導灯器具１Ａは、取付部材６Ａと筐体１０の間にスペース６５が設けられていない場合に比べて、ＬＥＤ３０、レンズ９及び第２点検スイッチ１７４を筐体１０に取り付けるための取付作業の簡素化を図ることができる。
【００６８】
ここで、埋込型の誘導灯器具１Ａは、筐体１０の後壁１２が埋込穴内に配置されている取付用のボルトに取り付けられる。すなわち、後壁１２に設けられた取付穴にボルトが挿通され、ボルトにナットが締め付けられることによって筐体１０が埋込穴内に配置される。このとき、ボルトに対するナットの締付量が大きくなるほど後壁１２に生じるひずみも大きくなる。これに対して実施形態２の誘導灯器具１Ａでは、筐体１０の下側の側壁１３に取付部材６Ａがねじ止めされるので、筐体１０の後壁１２に生じるひずみの影響が取付部材６Ａに及びにくい。その結果、実施形態２の誘導灯器具１Ａでは、後壁１２のひずみに起因したレンズ９とＬＥＤ３０の光軸のずれの発生を抑制することができる。
【００６９】
ところで、誘導灯器具には、筐体１０の前面と後面の両面に表示板２０が設けられた、両面型の誘導灯器具１Ｂ（変形例１）もある（図１１参照）。両面型の誘導灯器具１Ｂでは、本体１００と、一対のプレート１０１とで筐体１０が構成されている。そして、本体１００の後面に表示板と光源ブロックが取り付けられている。両面型の誘導灯器具１Ｂでは、筐体１０の下側の側壁１３に設けられた挿通穴１４にレンズ９が挿通されているので、実施形態１の誘導灯器具１と同じ構成の取付部材６が用いられる。
【００７０】
また、誘導灯器具は、図１２及び図１３に示すような誘導音付点滅形避難口誘導灯器具（以下、誘導灯器具１Ｃ；１Ｄと呼ぶ。）でもかまわない。誘導灯器具１Ｃ（変形例２）；１Ｄ（変形例３）は、筐体１０内にスピーカを収容している。誘導灯器具１Ｃでは、筐体１０の前壁１１にスピーカ用の窓１１１が開口している。この窓１１１は、カバー１１２で塞がされている。ただし、カバー１１２は、カバー１１２の厚み方向に貫通する多数の穴を有している。誘導灯器具１Ｃ；１Ｄは、誘導灯信号装置から信号を受信した場合、「避難口はこちらです。」というような音声メッセージをスピーカから出力するように構成されている。変形例２の誘導灯器具１Ｃでは、筐体１０の下側の側壁１３に設けられた挿通穴１４にレンズ９が挿通されているので、実施形態１の誘導灯器具１と同じ構成の取付部材６が用いられる。一方、変形例３の誘導灯器具１Ｄでは、筐体１０の前壁１１に設けられた挿通穴１４にレンズ９が挿通されているので、実施形態２の誘導灯器具１Ａと同じ構成の取付部材６Ａが用いられる。
【００７１】
本発明の第１の態様に係る発光装置（誘導灯器具１；１Ａ；１Ｂ；１Ｃ；１Ｄ）は、固体光源（ＬＥＤ３０）と、固体光源の配光を制御するレンズ（９）と、操作入力を受け付けるスイッチ（第２点検スイッチ１７４）とを備える。発光装置は、少なくともスイッチが操作入力を受け付けたときに固体光源を駆動する駆動装置（４）と、固体光源、レンズ（９）、スイッチが取り付けられる取付部材（６）と、駆動装置（４）及び取付部材（６）を収容する筐体（１０）とを備える。取付部材（６）は、筐体（１０）に固定される固定片（６０）と、固体光源とレンズ（９）が取り付けられる第１取付片（６１）と、スイッチが取り付けられる第２取付片（６２）とを有している。固定片（６０）と第１取付片（６１）と第２取付片（６２）の間に、駆動装置（４）と固体光源及びスイッチとを電気的に接続する配線（電線４４、４５）が収められる配線用のスペース（６５）が設けられている。
【００７２】
第１の態様に係る発光装置は、取付部材（６）に配線用のスペース（６５）が設けられているため、配線用のスペース（６５）に配線を収めた状態で取付部材（６）の固定片（６０）を筐体（１０）に固定することができる。そのため、第１の態様に係る発光装置は、取付部材（６）と筐体（１０）の間にスペース（６５）が設けられていない場合に比べて、ＬＥＤ（３０）、レンズ（９）及びスイッチを筐体（１０）に取り付けるための取付作業の簡素化を図ることができる。
【００７３】
本発明の第２の態様に係る発光装置は、第１の態様との組合せにより実現され得る。第２の態様に係る発光装置は、箱形に形成されてスイッチを収容するケース（第２ケース１７０）と、ケースの前面においてスイッチを操作するための操作部材（第２押釦１７１）とを備えることが好ましい。ケースの前後方向の高さは、固体光源とレンズ（９）を併せた高さよりも高いことが好ましい。第２取付片（６２）は、ケースの前後方向に沿って第１取付片（６１）の後方に配置されていることが好ましい。
【００７４】
第２の態様に係る発光装置は、取付部材（６）が筐体（１０）に取り付けられたときにレンズ（９）及びケースと筐体（１０）との距離を均一に保つことができる。
【００７５】
本発明の第３の態様に係る発光装置は、第１又は第２の態様との組合せにより実現され得る。第３の態様に係る発光装置において、固定片（６０）は多角形の板状に形成されることが好ましい。第１取付片（６１）は固定片（６０）の複数の辺のうちの第１の辺から突出するように形成されていることが好ましい。第２取付片（６２）は固定片（６０）の複数の辺のうちの第２の辺から突出するように形成されていることが好ましい。
【００７６】
第３の態様に係る発光装置は、第１取付片（６１）と第２取付片（６２）の間に固定片（６０）の幅に等しい長さの隙間（スペース６５）を形成することができる。
【００７７】
本発明の第４の態様に係る発光装置は、第１〜第３の態様のいずれか一つとの組合せにより実現され得る。第４の態様に係る発光装置は、固体光源と駆動装置（４）を電気的に接続するコネクタ（３１０）と、コネクタ（３１０）の変位を規制する規制部（突片３３３）とを備えることが好ましい。
【００７８】
第４の態様に係る発光装置は、規制部によってコネクタ（３１０）の変位が規制されるので、コネクタ（３１０）が破損する可能性を低くすることができる。
【００７９】
本発明の第５の態様に係る発光装置は、第４の態様との組合せにより実現され得る。第５の態様に係る発光装置は、固体光源を保持するホルダ（３１）と、固体光源に熱的に結合される放熱板（３３）とを備えることが好ましい。コネクタ（３１０）は、ホルダ（３１）から突出するようにホルダ（３１）と一体に形成されることが好ましい。放熱板（３３）は、コネクタ（３１０）に沿って突出し、コネクタ（３１０）の変位を規制する突片（３３３）を有することが好ましい。
【００８０】
第５の態様に係る発光装置は、放熱板（３３）から突出する突片（３３３）を規制部に用いることができる。
【００８１】
本発明の第６の態様に係る発光装置は、第４又は第５の態様との組合せにより実現され得る。第６の態様に係る発光装置において、取付部材（６）は、コネクタ（３１０）の周囲を囲ってコネクタ（３１０）を保護する保護片（６３）を有することが好ましい。
【００８２】
第６の態様に係る発光装置は、保護片（６３）によってコネクタ（３１０）の周囲が囲われているので、コネクタ（３１０）に大きな力が加わりにくくなってコネクタ（３１０）の破損の可能性を低下させることができる。
【００８３】
本発明の第７の態様に係る発光装置は、第６の態様との組合せにより実現され得る。第７の態様に係る発光装置において、保護片（６３）は保護片（６３）を貫通する確認窓（６３０）を有することが好ましい。確認窓（６３０）は、保護片（６３）においてコネクタ（３１０）の先端部分と対向する位置に設けられていることが好ましい。
【００８４】
第７の態様に係る発光装置は、保護片（６３）に設けられた確認窓（６３０）を通してコネクタ（３１０）の先端部分を視認できるので、コネクタ（３１０）に相手方のコネクタを差し込む際に保護片（６３）が邪魔にならずに容易に差し込むことができる。
【００８５】
本発明の第８の態様に係る発光装置（誘導灯器具１Ａ；１Ｄ）は、第１〜第７の態様のいずれか一つとの組合せにより実現され得る。第８の態様に係る発光装置において、筐体（１０）は、レンズ（９）の一部（レンズ本体９０）が挿通される挿通穴（１４）を有した前壁（１１）と、前壁（１１）の厚み方向において前壁（１１）と対向する後壁（１２）とを有することが好ましい。筐体（１０）は、前壁（１１）と後壁（１２）の周縁を囲む側壁（１３）を有することが好ましい。固定片（６０Ａ；６０Ｂ）は、側壁（１３）に固定されることが好ましい。
【００８６】
第８の態様に係る発光装置（誘導灯器具１Ａ；１Ｄ）は、筐体（１０）の側壁（１３）に取付部材（６Ａ）が固定されるので、筐体（１０）の後壁（１２）に生じるひずみの影響が取付部材（６Ａ）に及びにくい。その結果、第８の態様に係る発光装置では、後壁（１２）のひずみに起因したレンズ（９）とＬＥＤ（３０）の光軸のずれの発生を抑制することができる。
【００８７】
本発明の第９の態様に係る発光装置は、第８の態様との組合せにより実現され得る。第９の態様に係る発光装置において、取付部材（６Ａ）は、側壁（１３）に設けられた被引掛部（１３０）に引っ掛けられる引掛部（６４）を有することが好ましい。
【００８８】
第９の態様に係る発光装置は、被引掛部（１３０）に引掛部（６４）を引っ掛けることによって取付部材（６Ａ）を側壁（１３）に仮止めすることができる。その結果、第９の態様に係る発光装置は、筐体（１０）に対する取付部材（６Ａ）の取付作業の作業性の向上を図ることができる。
【００８９】
本発明の第１０の態様に係る非常用照明器具（誘導灯器具１；１Ａ；１Ｂ；１Ｃ；１Ｄ）は、第１〜第９の態様のいずれか一つの発光装置と、避難口又は避難口への通路を表示する表示ユニット（２）とを備える。表示ユニット（２）は発光装置の筐体（１０）に収容される。
【００９０】
第１０の態様に係る非常用照明器具は、取付部材（６）と筐体（１０）の間にスペース（６５）が設けられていない場合に比べて、ＬＥＤ（３０）、レンズ（９）及びスイッチを筐体（１０）に取り付けるための取付作業の簡素化を図ることができる。
【符号の説明】
【００９１】
１；１Ａ；１Ｂ；１Ｃ；１Ｄ  誘導灯器具（発光装置；非常用照明器具）
２  表示ユニット
６；６Ａ  取付部材
９  レンズ
１０  筐体
１１  前壁
１２  後壁
１３  側壁
１４  挿通穴
３０  ＬＥＤ（固体光源）
３３  放熱板
４４  電線（配線）
４５  電線（配線）
６０；６０Ａ；６０Ｂ  固定片
６１  第１取付片
６２  第２取付片
６３  保護片
６４  引掛部
６５  スペース
１３０  被引掛部
１７４  第２点検スイッチ（スイッチ）
３１０  コネクタ
３３３  突片（規制部）
６３０  確認窓
【図１】
2019106269.tif 000003
【図２】
2019106269.tif 000004
【図３】
2019106269.tif 000005
【図４】
2019106269.tif 000006
【図５】
2019106269.tif 000007
【図６】
2019106269.tif 000008
【図７】
2019106269.tif 000009
【図８】
2019106269.tif 000010
【図９】
2019106269.tif 000011
【図１０】
2019106269.tif 000012
【図１１】
2019106269.tif 000013
【図１２】
2019106269.tif 000014
【図１３】
2019106269.tif 000015